(57)【要約】【課題】筐体のスロットに挿入される基板を確実に固定して、耐振動性を確保する。【解決手段】電子装置１０は、一対の固定治具６２および一対の治具案内部８０を備える。一対の固定治具６２は、フェイスプレート５４に設けられ、基板４４の両端部側の各々において、基板４４の挿入方向側に延び、かつ、スロット３８に設けられた一対の案内レール４８の第１の間隔ｄ１よりも長い第２の間隔ｄ２をあけて、基板４４の両面側に配置される。一対の治具案内部８０は、一対の案内レール４８の基板４４の抜出方向側に設けられ、基板４４の両端部側の各々において、抜出方向側に延び、かつ、先端が第２の間隔ｄ２と一対の固定治具６２の先端の厚みとを合算した長さよりも長い第３の間隔ｄ３をあけて、基板４４の両面側に配置される。【選択図】図２
2019114687.tif 000002
【特許請求の範囲】
【請求項１】
スロットが設けられた筐体と、
前記スロットに挿入される基板と、
前記基板の挿入方向側の端部に設けられた第１コネクタと、
前記挿入方向とは反対の前記基板の抜出方向側の端部に設けられ、前記基板を支持するフェイスプレートと、
前記筐体内に設けられ、前記基板が前記スロットに挿入されたときに前記第１コネクタと嵌合する第２コネクタと、
前記スロットに設けられ、前記基板の前記スロットへの挿入をガイドするために、前記挿入方向と交差する方向の前記基板の両端部側の各々において、前記挿入方向側に延び、かつ、第１の間隔をあけて前記基板の両面側に配置された一対の案内レールと、
前記フェイスプレートに設けられ、前記基板を前記スロットに固定するために、前記基板の前記両端部側の各々において、前記挿入方向側に延び、かつ、前記第１の間隔よりも長い第２の間隔をあけて前記基板の両面側に配置された一対の固定治具と、
前記一対の案内レールの前記抜出方向側に設けられ、前記スロットに前記基板を挿入する際に、前記一対の固定治具を弾性変形させて前記基板を固定するために、前記基板の前記両端部側の各々において、前記抜出方向側に延び、かつ、先端が前記第２の間隔と前記一対の固定治具の先端の厚みとを合算した長さよりも長い第３の間隔をあけて前記基板の両面側に配置された一対の治具案内部と、
を備える、電子装置。
【請求項２】
請求項１に記載の電子装置であって、
前記基板の前記両端部側の各々において、前記第３の間隔は、前記一対の治具案内部の先端から前記挿入方向側に向かって徐々に短くなる、電子装置。
【請求項３】
請求項１または２に記載の電子装置であって、
前記フェイスプレートに設けられ、前記基板の前記両端部側の各々において、前記挿入方向側に延びる第１嵌合部と、
前記スロットに設けられ、前記基板の前記両端部側の各々において、前記第１嵌合部に嵌合する第２嵌合部と、
をさらに備える、電子装置。
【請求項４】
請求項３に記載の電子装置であって、
前記フェイスプレートに設けられ、前記基板の前記両端部側の各々において、前記第１嵌合部と前記第２嵌合部との嵌合状態を解除する操作部をさらに備える、電子装置。
【請求項５】
請求項１〜４のいずれか１項に記載の電子装置であって、
前記筐体内に設けられ、前記第２コネクタが配置されるバックプレートをさらに備える、電子装置。
【請求項６】
請求項１〜５のいずれか１項に記載の電子装置であって、
前記基板の前記抜出方向側の端部に設けられた第３コネクタをさらに備える、電子装置。
【発明の詳細な説明】
【技術分野】
【０００１】
本発明は、筐体のスロットに基板を挿入することで、基板側の第１コネクタと筐体内の第２コネクタとを嵌合させる電子装置に関する。
【背景技術】
【０００２】
下記の特許文献１には、スロットが設けられた筐体と、スロットに挿入される基板と、基板の挿入方向側の端部に設けられた第１コネクタと、筐体内に設けられ、基板がスロットに挿入されたときに第１コネクタに嵌合する第２コネクタと、筐体内で挿入方向側に延び、基板のスロットへの挿入をガイドする一対の案内レールとを有する電子装置が開示されている。
【先行技術文献】
【特許文献】
【０００３】
【特許文献１】特開２００２−２４６７７２号公報
【発明の概要】
【発明が解決しようとする課題】
【０００４】
このように、従来は、第１コネクタと第２コネクタとを嵌合させることで、スロット内で基板を固定する。そのため、筐体または基板が振動した場合、第１コネクタと第２コネクタとの嵌合部分（接点部分）や、第２コネクタと基板とのはんだ接合部分に負荷がかかる。そこで、筐体以外の部材を用いてスロット内の基板を固定すると、電子装置の部品点数や組立工数が増加し、電子装置のコストが高くなる。一方、案内レールでスロット内の基板を固定する場合、基板の案内レールとの接触部分が擦れて、基板に傷が発生する。
【０００５】
そこで、本発明は、筐体のスロットに挿入される基板を確実に固定して、耐振動性を確保することができる電子装置を提供することを目的とする。
【課題を解決するための手段】
【０００６】
本発明の態様は、筐体、基板、第１コネクタ、フェイスプレート、第２コネクタ、一対の案内レール、一対の固定治具、および、一対の治具案内部を備える電子装置である。
【０００７】
前記筐体にはスロットが設けられ、前記スロットに前記基板が挿入される。前記第１コネクタは、前記基板の挿入方向側の端部に設けられる。前記フェイスプレートは、前記挿入方向とは反対の前記基板の抜出方向側の端部に設けられ、前記基板を支持する。前記第２コネクタは、前記筐体内に設けられ、前記基板が前記スロットに挿入されたときに前記第１コネクタと嵌合する。
【０００８】
前記一対の案内レールは、前記スロットに設けられ、前記基板の前記スロットへの挿入をガイドするために、前記挿入方向と交差する方向の前記基板の両端部側の各々において、前記挿入方向側に延び、かつ、第１の間隔をあけて前記基板の両面側に配置される。
【０００９】
前記一対の固定治具は、前記フェイスプレートに設けられ、前記基板を前記スロットに固定するために、前記基板の前記両端部側の各々において、前記挿入方向側に延び、かつ、前記第１の間隔よりも長い第２の間隔をあけて前記基板の両面側に配置される。
【００１０】
前記一対の治具案内部は、前記一対の案内レールの前記抜出方向側に設けられ、前記スロットに前記基板を挿入する際に、前記一対の固定治具を弾性変形させて前記基板を固定するために、前記基板の前記両端部側の各々において、前記抜出方向側に延び、かつ、先端が前記第２の間隔と前記一対の固定治具の先端の厚みとを合算した長さよりも長い第３の間隔をあけて前記基板の両面側に配置される。
【発明の効果】
【００１１】
本発明によれば、基板をスロットに挿入する際に、フェイスプレートを介して基板と一体に設けられた一対の固定治具が、一対の治具案内部と基板との間に挿入される。一対の固定治具は、一対の治具案内部によって基板の両面側に弾性変形するので、基板は、一対の治具案内部および一対の固定治具によって、基板の両面側で押さえられる。この結果、筐体のスロットに挿入される基板を確実に固定して、耐振動性を確保することができる。
【図面の簡単な説明】
【００１２】
【図１】本実施の形態の電子装置の斜視図である。
【図２】図１の電子装置の一部構成を示す分解斜視図である。
【図３】スロットへの基板の挿入を概略的に図示した斜視図である。
【図４】スロットへの基板の挿入を概略的に図示した側面図である。
【図５】スロットへの基板の挿入を平面的に図示した概念図である。
【発明を実施するための形態】
【００１３】
本発明に係る電子装置について、好適な実施の形態を掲げ、添付の図面を参照しながら、以下詳細に説明する。
【００１４】
［本実施の形態の概略構成］
図１に示すように、本実施の形態の電子装置１０は、例えば、表示器１２および不図示の産業機械（工作機械、ロボット、射出成形機、ワイヤ放電加工機等）を制御するための制御装置に適用される。表示器１２は、前面１４に配置される不図示の表示画面を有する液晶表示ユニットである。表示器１２は、他の種類の表示ユニットであってもよい。図１は、電子装置１０をＣＮＣ（コンピュータ数値制御）の工作機械の数値制御装置に適用した場合を図示している。この場合、表示器１２は、工作機械の操作盤に設けられる。なお、以下の説明では、表示器１２の表示画面を正面から見た方向にしたがって、上下、左右および前後の方向を説明する。
【００１５】
表示器１２の前面１４とは反対の背面１６には、電子装置１０と、不図示の外部装置に接続可能なユーザ・インターフェース・ユニット１８とが着脱可能に取り付けられている。この場合、表示器１２の背面１６の上側に電子装置１０が着脱可能に取り付けられている。また、表示器１２の背面１６の下側の隅部に、ユーザ・インターフェース・ユニット１８が着脱可能に取り付けられている。
【００１６】
電子装置１０は、表示器１２の背面１６に着脱可能に取り付けられる箱型の筐体２０を有する。筐体２０の底面２２は、表示器１２の背面１６に対向している。筐体２０の底面２２に隣接する側面のうち、ユーザ・インターフェース・ユニット１８寄りの上下方向に沿った側面２４には、筐体２０内を冷却するための２つのファン２６を収納するファンユニット２８が筐体２０に着脱可能に取り付けられている。なお、ファンユニット２８には、少なくとも１つのファン２６が収納されていればよい。
【００１７】
電子装置１０は、図１〜図５に示すように、筐体２０と、筐体２０内に収納され、表示器１２および産業機械を制御する制御部３０と、筐体２０内に収納され、制御部３０に接続されるバックプレート３２とを有する。筐体２０において、底面２２に隣接する側面のうち、ファンユニット２８が取り付けられる側面２４に隣接する下側の側面（下面３４）には、形状または大きさが異なる複数の開口３６が形成されている。
【００１８】
筐体２０内には、各々の開口３６から、ファンユニット２８が取り付けられる側面２４に平行な上下方向に沿って延びる複数のスロット３８が形成されている。すなわち、筐体２０内には、表示器１２の背面１６とは反対の天板４０から底面２２に向かって、複数の仕切り板４２が延びている。これにより、筐体２０内は、複数の空間に分割される。分割された複数の空間の各々がスロット３８として形成され、各スロット３８の下面３４側が開口３６として形成される。したがって、筐体２０の下面３４に全てのスロット３８が設けられる。なお、本実施の形態では、左右方向に延びる複数の仕切り板をさらに設けて、筐体２０内の空間を前後方向に分割することで、複数のスロット３８を形成することも可能である。
【００１９】
バックプレート３２は、図１、図２、図４および図５に示すように、制御部３０を構成する複数の基板４４に接続される接続基板である。バックプレート３２は、筐体２０内の上方向（基板４４の挿入方向）の奥側、すなわち、複数のスロット３８の上方向の奥側において、筐体２０の上側の側面（上面４６）と平行に、かつ、底面２２と垂直に配置される。バックプレート３２は、不図示のコネクタを介して表示器１２と接続されている。
【００２０】
図１〜図５に示すように、制御部３０は、複数のスロット３８の各々に挿抜可能に収納される複数の基板４４を有する。複数の基板４４は、不図示の電子部品を搭載可能である。なお、複数のスロット３８（開口３６）は、形状または大きさが互いに異なるため、複数の基板４４の各々は、該当するスロット３８に挿入されるように、開口３６の形状または大きさに応じた形状または大きさを有する。図１〜図５では、一例として、１つのスロット３８に対して、該当する基板４４を挿抜する場合を図示している。また、図３〜図５では、説明の便宜上、一部の構成を省略して図示している。
【００２１】
筐体２０内において、各々のスロット３８の左右両側（挿入方向と交差する左右方向に沿った基板４４の両端部側）には、上下方向に延びる一対の案内レール４８がそれぞれ設けられている。一対の案内レール４８は、仕切り板４２、および、筐体２０の側面を形成する内壁において、筐体２０の前後方向（基板４４の両面側）に、第１の間隔ｄ１をあけて設けられている。これにより、一対の案内レール４８は、スロット３８に挿入される基板４４の両端部が一対の案内レール４８の間の溝に嵌まり込んでいる状態で、基板４４を挿入方向に沿ってバックプレート３２までガイドすることができる。また、一対の案内レール４８を用いることで、基板４４をスロット３８に挿入する際の基板４４の前後方向および左右方向への位置決めが不要となる。
【００２２】
基板４４のバックプレート３２側の端部（基板４４の挿入方向側の端部）には、第１コネクタ５０が設けられている。また、バックプレート３２には、複数のスロット３８の各々に基板４４が挿入されたときに、第１コネクタ５０と嵌合する複数の第２コネクタ５２が設けられている。これにより、スロット３８に収納された基板４４は、嵌合状態の第１コネクタ５０および第２コネクタ５２と、バックプレート３２とを介して、表示器１２を制御することができる。なお、図１では、１つのスロット３８の分について、基板４４を挿抜する場合のスロット３８内の構成を破線等で図示している。
【００２３】
さらに、挿入方向とは反対の基板４４の抜出方向（下方向）の端部には、基板４４を支持するフェイスプレート５４が設けられている。フェイスプレート５４は、基板４４をスロット３８に挿入した際に、筐体２０の下面３４に当接して開口３６を塞ぐ。
【００２４】
また、図１、図２および図５に示すように、基板４４の抜出方向の端部には、フェイスプレート５４に形成された開口部５６を貫通して外部に露出する第３コネクタ５８が設けられている。第３コネクタ５８は、外部のコネクタに接続可能である。これにより、外部から第３コネクタ５８を介して基板４４に信号を供給し、または、基板４４から第３コネクタ５８を介して外部に信号を出力することができる。
【００２５】
このように、基板４４がユニット化されることで、基板４４の梱包や持ち運びが容易になるとともに、基板４４に対する静電気対策も容易に行うことができる。
【００２６】
［本実施の形態の特徴的な構成］
次に、本実施の形態の電子装置１０の特徴的な構成について、図１〜図５を参照しながら説明する。電子装置１０では、スロット３８に基板４４を挿入して、第１コネクタ５０と第２コネクタ５２とを嵌合させる場合に、スロット３８に収納された基板４４の振動を抑制するため、下記の構成をさらに備える。
【００２７】
フェイスプレート５４の挿入方向側の面（上面６０）において、基板４４の両端部側の各々には、挿入方向側に延びる一対の固定治具６２が設けられている。一対の固定治具６２は、第１の間隔ｄ１よりも長い第２の間隔ｄ２をあけて、基板４４の両面側（前後方向）に配置されている。一対の固定治具６２の先端側は、弾性変形可能である。
【００２８】
一対の固定治具６２の基端側は、フェイスプレート５４の上面６０に設けられた矩形状の連結部６４によって連結されている。２つの連結部６４の左右方向の内方には、凹凸部分を含む係合部６６が設けられている。一方、基板４４の両端部の抜出方向側には、２つの連結部６４の係合部６６に係合する切欠部分である係合部６８が形成されている。基板４４は、２つの係合部６８と２つの連結部６４の係合部６６とが係合することで、フェイスプレート５４に支持される。この場合、基板４４の抜出方向側の端部がフェイスプレート５４の上面６０に接触し、かつ、基板４４の両端部の抜出方向側が２つの連結部６４の係合部６６で左右方向に挟持された状態で、フェイスプレート５４に支持される。したがって、図４の側面視で、基板４４は、一対の固定治具６２の間で挿入方向側に延びるように、フェイスプレート５４に支持される。
【００２９】
また、図３に示すように、フェイスプレート５４の上面６０において、基板４４の両端部側の各々には、挿入方向側に延びる第１嵌合部７０が設けられている。この場合、フェイスプレート５４において、基板４４の両端部側の各々には、開口部７２が設けられている。２つの開口部７２の各々には、フェイスプレート５４の左右方向の内方（第３コネクタ５８側）に延びる支持部７４が設けられている。第１嵌合部７０は、基端が支持部７４に支持された状態で挿入方向側に延びている。第１嵌合部７０の先端には、フェイスプレート５４の左右方向の内方に突出する爪部７６が設けられている。
【００３０】
２つの支持部７４の各々には、抜出方向側に延びる操作部７８が設けられている。したがって、第１嵌合部７０と操作部７８とは、支持部７４を介して上下方向に連結されている。図２および図３に示すように、オペレータが操作部７８を左右方向に操作すると、支持部７４が撓み、第１嵌合部７０は、操作部７８の操作方向とは逆方向に回動する。例えば、２つの操作部７８が支持部７４を中心にフェイスプレート５４の左右方向の内方に操作されると、２つの第１嵌合部７０は、支持部７４を中心としてフェイスプレート５４の左右方向の外方に回動する。
【００３１】
一方、図１〜図５に示すように、スロット３８における基板４４の両端部側の各々において、一対の案内レール４８の抜出方向側には、一対の治具案内部８０が設けられている。一対の治具案内部８０は、弾性変形可能であり、前後方向に第３の間隔ｄ３をあけて、基板４４の両面側で抜出方向側に延びている。なお、一対の治具案内部８０は、仕切り板４２および筐体２０の内壁と分離した状態で一対の案内レール４８の抜出方向側に設けられてもよいし、または、仕切り板４２および筐体２０の内壁と一体の状態で一対の案内レール４８の抜出方向側に設けられてもよい。
【００３２】
一対の治具案内部８０の先端での第３の間隔ｄ３は、弾性変形前の一対の固定治具６２（図２および図３参照）の第２の間隔ｄ２と、一対の固定治具６２の先端の厚みとを合算した長さよりも長く設定されている。そのため、基板４４をスロット３８に挿入する際に、一対の治具案内部８０と基板４４の両面との間に一対の固定治具６２を挿入させることができる（図３〜図５参照）。なお、一対の固定治具６２の先端が突起状であることで、一対の固定治具６２の先端の厚みが０である場合、第３の間隔ｄ３は、第２の間隔ｄ２より長ければよい。
【００３３】
また、第３の間隔ｄ３は、一対の治具案内部８０の先端から挿入方向側（一対の案内レール４８）に向かって徐々に短くなる。そのため、一対の固定治具６２が一対の治具案内部８０に当接した場合、一対の固定治具６２は、挿入方向側への基板４４の挿入に伴い、一対の治具案内部８０によって、基板４４の両面側に徐々に弾性変形される。また、図４のように、第３の間隔ｄ３が、第２の間隔ｄ２と一対の固定治具６２の先端での厚みとを合算した長さよりも短い箇所では、一対の治具案内部８０は、一対の固定治具６２によって筐体２０の前後方向に弾性変形される。
【００３４】
また、スロット３８における基板４４の両端部側の各々において、仕切り板４２および筐体２０の内壁には、第１嵌合部７０に嵌合する第２嵌合部８２が設けられている。第２嵌合部８２は、仕切り板４２および筐体２０の内壁において、一対の治具案内部８０の先端よりも抜出方向側の箇所から、スロット３８の左右方向の内方に突出し、かつ、上下方向に開口している係止部である。これにより、基板４４をスロット３８に挿入した際に、第１嵌合部７０が第２嵌合部８２の開口８４を挿通し、第１嵌合部７０の爪部７６が第２嵌合部８２の左右方向の内方部分８６に係合する。なお、第２嵌合部８２は、基板４４をスロット３８に挿入して、第１嵌合部７０の爪部７６が第２嵌合部８２に係合した際に、第１コネクタ５０と第２コネクタ５２とが嵌合し、かつ、フェイスプレート５４が開口３６を塞ぐような箇所に設けられていればよい。
【００３５】
［スロット３８に対する基板４４の挿抜］
次に、スロット３８に対して基板４４を挿抜する手順について説明する。最初に、スロット３８に基板４４を挿入する場合について説明する。
【００３６】
基板４４がフェイスプレート５４に支持されている場合に、第１コネクタ５０を挿入方向側に向けた状態で、基板４４をスロット３８に挿入する。これにより、基板４４の両端部の挿入方向側が一対の治具案内部８０を介して一対の案内レール４８に挿入される。この結果、基板４４の両端部を一対の案内レール４８でガイドしつつ、基板４４をバックプレート３２側に移動させることができる。すなわち、基板４４は、一対の案内レール４８によって、左右方向および前後方向に位置決めされた状態で、スロット３８に挿入される。
【００３７】
前述のように、一対の治具案内部８０の先端での第３の間隔ｄ３が、一対の固定治具６２の第２の間隔ｄ２と、一対の固定治具６２の先端での厚みとを合算した長さよりも長い。そのため、基板４４をさらに挿入すると、一対の固定治具６２が一対の治具案内部８０と基板４４の両面との間に挿入される。
【００３８】
また、第３の間隔ｄ３は、一対の治具案内部８０の先端から一対の案内レール４８（挿入方向側）に向かって徐々に短くなっている。そのため、挿入された一対の固定治具６２の先端が一対の治具案内部８０に当接すると、図３に示すように、一対の固定治具６２の先端側は、基板４４の両面側に向かって弾性変形する。この結果、一対の固定治具６２の先端側が基板４４の両面に接触し、基板４４の両面は、一対の治具案内部８０から一対の固定治具６２を介して前後方向に押さえられる。
【００３９】
これにより、基板４４の両端部と一対の案内レール４８との間に隙間がある状態でも、基板４４を前後方向に位置決め固定することができる。また、基板４４の両面を一対の固定治具６２で固定することで、一対の案内レール４８と基板４４の両面との間に僅かな隙間が形成される。この結果、一対の案内レール４８と基板４４との摩擦による基板４４での傷の発生を抑制しつつ、一対の案内レール４８で基板４４の両端部をガイドしながら、基板４４をスロット３８の挿入方向側に挿入することが可能となる。
【００４０】
なお、第３の間隔ｄ３が、第２の間隔ｄ２と一対の固定治具６２の先端での厚みとを合算した長さよりも短い一対の治具案内部８０の挿入方向側の箇所は、図４に示すように、一対の固定治具６２からの押圧力を受けて、筐体２０の前後方向に弾性変形する。この場合、一対の固定治具６２によって一対の治具案内部８０を前後方向に押し広げながら、基板４４を挿入方向側に挿入することになる。
【００４１】
基板４４をさらに挿入すると、基板４４の挿入方向側の端部がバックプレート３２の近傍に至り、第１コネクタ５０と第２コネクタ５２とが嵌合する。また、第１嵌合部７０が第２嵌合部８２の開口８４を挿通して、第１嵌合部７０の爪部７６が第２嵌合部８２の内方部分８６に係合する。これにより、基板４４は、スロット３８内で左右方向に位置決め固定される。さらに、フェイスプレート５４は、スロット３８の開口３６を塞ぐ。これにより、基板４４は、スロット３８内で上下方向に位置決め固定される。また、前述のように、基板４４は、一対の治具案内部８０および一対の固定治具６２によって、前後方向に位置決めされている。
【００４２】
このように、スロット３８内に基板４４が収納された場合、基板４４は、前後、上下および左右に位置決め固定される。これにより、基板４４に発生する振動を効果的に抑制することができる。この結果、第１コネクタ５０と第２コネクタ５２との嵌合部分（接点部分）や、第２コネクタ５２と基板４４とのはんだ接合部分に負荷がかかることを防止することができる。
【００４３】
一方、スロット３８から基板４４を抜き出す場合、まず、オペレータは、フェイスプレート５４から外方に露出する２つの操作部７８を、フェイスプレート５４の左右方向の内方に操作する。これにより、支持部７４が撓み、第２嵌合部８２に嵌合している第１嵌合部７０は、支持部７４を中心にフェイスプレート５４の左右方向の外方に回動する。この結果、第１嵌合部７０の爪部７６と第２嵌合部８２の内方部分８６との嵌合状態が解除される。
【００４４】
次に、オペレータは、２つの操作部７８をフェイスプレート５４の左右方向の内方に操作している状態で、フェイスプレート５４を抜出方向に引く。これにより、第１コネクタ５０と第２コネクタ５２との嵌合状態が解除される。
【００４５】
次に、オペレータがフェイスプレート５４を抜出方向にさらに引くと、第１コネクタ５０および基板４４が第２コネクタ５２から抜出方向に離間する。これにより、基板４４の両端部を一対の案内レール４８でガイドしつつ、基板４４を抜出方向に引き抜くことができる。この場合、第１嵌合部７０が第２嵌合部８２から離間するとともに、一対の固定治具６２が一対の治具案内部８０から離間する。これにより、一対の固定治具６２は、弾性変形による復帰力によって、元の位置に戻る。この結果、基板４４の両面は、一対の治具案内部８０および一対の固定治具６２による押圧状態から解放される。
【００４６】
この状態で、オペレータがフェイスプレート５４を抜出方向にさらに引くことで、基板４４をスロット３８の開口３６から引き抜くことができる。なお、第２嵌合部８２から第１嵌合部７０が離間している場合、オペレータは、操作部７８を元の位置に戻した状態で、基板４４をスロット３８の開口３６から引き抜くことができる。
【００４７】
［実施の形態から得られる技術的思想］
上記の実施の形態から把握しうる技術的思想について、以下に記載する。
【００４８】
電子装置（１０）は、筐体（２０）、基板（４４）、第１コネクタ（５０）、フェイスプレート（５４）、第２コネクタ（５２）、一対の案内レール（４８）、一対の固定治具（６２）、および、一対の治具案内部（８０）を備える。
【００４９】
筐体（２０）にはスロット（３８）が設けられ、スロット（３８）に基板（４４）が挿入される。第１コネクタ（５０）は、基板（４４）の挿入方向側の端部に設けられる。フェイスプレート（５４）は、挿入方向とは反対の基板（４４）の抜出方向側の端部に設けられ、基板（４４）を支持する。第２コネクタ（５２）は、筐体（２０）内に設けられ、基板（４４）がスロット（３８）に挿入されたときに第１コネクタ（５０）と嵌合する。
【００５０】
一対の案内レール（４８）は、スロット（３８）に設けられ、基板（４４）のスロット（３８）への挿入をガイドするために、挿入方向と交差する方向の基板（４４）の両端部側の各々において、挿入方向側に延び、かつ、第１の間隔（ｄ１）をあけて基板（４４）の両面側に配置される。
【００５１】
一対の固定治具（６２）は、フェイスプレート（５４）に設けられ、基板（４４）をスロット（３８）に固定するために、基板（４４）の両端部側の各々において、挿入方向側に延び、かつ、第１の間隔（ｄ１）よりも長い第２の間隔（ｄ２）をあけて基板（４４）の両面側に配置される。
【００５２】
一対の治具案内部（８０）は、一対の案内レール（４８）の抜出方向側に設けられ、スロット（３８）に基板（４４）を挿入する際に、一対の固定治具（６２）を弾性変形させて基板（４４）を固定するために、基板（４４）の両端部側の各々において、抜出方向側に延び、かつ、先端が第２の間隔（ｄ２）と一対の固定治具（６２）の先端の厚みとを合算した長さよりも長い第３の間隔（ｄ３）をあけて基板（４４）の両面側に配置される。
【００５３】
これにより、基板（４４）をスロット（３８）に挿入した際に、フェイスプレート（５４）を介して基板（４４）と一体に設けられた一対の固定治具（６２）が、一対の治具案内部（８０）と基板（４４）との間に挿入される。一対の固定治具（６２）は、一対の治具案内部（８０）によって基板（４４）の両面側に弾性変形するので、基板（４４）は、一対の治具案内部（８０）および一対の固定治具（６２）によって、基板（４４）の両面側で押さえられる。この結果、筐体（２０）のスロット（３８）に挿入される基板（４４）を確実に固定して、耐振動性を確保することができる。
【００５４】
基板（４４）の両端部側の各々において、第３の間隔（ｄ３）は、一対の治具案内部（８０）の先端から挿入方向側に向かって徐々に短くなる。これにより、基板（４４）をスロット（３８）に挿入し、一対の治具案内部（８０）と基板（４４）の両面との間に一対の固定治具（６２）を挿入した際に、一対の治具案内部（８０）で一対の固定治具（６２）を基板（４４）の両面側に徐々に弾性変形させることができる。この結果、スロット（３８）に挿入された基板（４４）を確実に、かつ、効率よく固定することができる。
【００５５】
電子装置（１０）は、フェイスプレート（５４）に設けられ、基板（４４）の両端部側の各々において、挿入方向側に延びる第１嵌合部（７０）と、スロット（３８）に設けられ、基板（４４）の両端部側の各々において、第１嵌合部（７０）に嵌合する第２嵌合部（８２）とをさらに備える。これにより、スロット（３８）に挿入された基板（４４）を、挿入方向に交差する方向に容易に位置決め固定することができる。
【００５６】
電子装置（１０）は、フェイスプレート（５４）に設けられ、基板（４４）の両端部側の各々において、第１嵌合部（７０）と第２嵌合部（８２）との嵌合状態を解除する操作部（７８）をさらに備える。これにより、スロット（３８）内に収納されている基板（４４）を、スロット（３８）から容易に抜き出すことができる。
【００５７】
電子装置（１０）は、筐体（２０）内に設けられ、第２コネクタ（５２）が配置されるバックプレート（３２）をさらに備える。これにより、スロット（３８）に基板（４４）を挿入して、第１コネクタ（５０）と第２コネクタ（５２）とが嵌合した場合、基板（４４）とバックプレート（３２）との間で信号の送受信を行うことが可能となる。
【００５８】
電子装置（１０）は、基板（４４）の抜出方向側の端部に設けられた第３コネクタ（５８）をさらに備える。これにより、外部からの信号を第３コネクタ（５８）を介して基板（４４）に供給し、または、基板（４４）から第３コネクタ（５８）を介して外部に信号を出力することが可能となる。
【符号の説明】
【００５９】
１０…電子装置                          ２０…筐体
３８…スロット                          ４４…基板
４８…案内レール                        ５０…第１コネクタ
５２…第２コネクタ                      ５４…フェイスプレート
６２…固定治具                          ８０…治具案内部
【図１】
2019114687.tif 000003
【図２】
2019114687.tif 000004
【図３】
2019114687.tif 000005
【図４】
2019114687.tif 000006
【図５】
2019114687.tif 000007